(57)【要約】【課題】折り畳まれた形態が嵩張らず、かつ折り畳まれた形態が保たれ、また、組み立てられた立体形状が保たれ、採尿などに支障をきたすおそれがないようにする。【解決手段】ポリオレフィン系のフィルムより成る筒状チューブの対向する部分がそれぞれ内側へ折り込まれることにより両側縁に山折りの折癖が付けられた前面部１および後面部２と、幅中央部に谷折りの折癖が付けられた両側の折込み部３，４とが形成されている。下端部は、前面部１、後面部２、および両側の折込み部３，４が一体に熱溶着されて封止されている。上端部には、両側偶部において前面部１、後面部２、および両側の折込み部３，４が一体に斜めに切り取られることにより、前壁、後壁、および両側の襠の上端開口縁にそれぞれ摘みが形成されている。【選択図】図３
0003168828.tif 000002
【実用新案登録請求の範囲】
【請求項１】
前面部および後面部を前後方向へ押し開くことにより前面部、後面部、および前面部と後面部との間への折込み部により前壁、後壁、両側の襠、および底を有する容器体が形づくられる折り畳み容器であって、ポリオレフィン系のフィルムより成る筒状チューブの対向する部分がそれぞれ内側へ折り込まれることにより両側縁に山折りの折癖が付けられた前面部および後面部と、幅中央部に谷折りの折癖が付けられた両側の折込み部とが形成され、下端部は、前面部、後面部、および両側の折込み部が一体に熱溶着されて封止され、上端部には、両側偶部において前面部、後面部、および両側の折込み部が一体に斜めに切り取られることにより前壁、後壁、および両側の襠の上端開口縁にそれぞれ摘み片が形成されて成る折り畳み容器。
【請求項２】
前記筒状チューブは、少なくとも０．０５ｍｍの厚みを有している請求項１に記載された折り畳み容器。
【請求項３】
前記筒状チューブの対向する部分は、両側の折込み部の谷折り部分が互いに接近する位置まで内側へ折り込まれている請求項１または２に記載された折り畳み容器。
【請求項４】
前記下端部の封止された部分は、後面部上に折り返されて止着されている請求項１に記載された折り畳み容器。
【考案の詳細な説明】
【技術分野】
【０００１】
この考案は、例えば、尿検査のために尿を採取するのに用いられる簡易な容器に関し、特にこの考案は、普段は折り畳んでおき、使用時には容器形態となるように押し開いて用いる折り畳み容器に関する。
【背景技術】
【０００２】
従来、採尿用の容器として、防水紙またはポリエチレン樹脂などを材料として金型による成形を行って所定の容器体に形成したものが提案されている（例えば特許文献１参照）。この採尿用の容器は、図８および図９に示すように、平面形状が四角形状であって４面の側板８ａ〜８ｄおよび底板８ｅより成るものであり、対向位置の側板８ａ，８ｃの上端開口縁に摘み片８０ａ，８０ｃが一体形成されている。容器の各折曲げ部分には折癖が付けられ、立体形状が保たれている。注ぎ嘴８１を有する側板８ｂの内外面、その側板８ｂと対向位置にある側板８ｄの外面、および底板８ｅの外面にそれぞれ折り畳み用の溝８２〜８９が形成されており、不使用時には、各溝８２〜８９に沿って折り曲げることにより折り畳むことが可能になっている。
【０００３】
しかし、上記した採尿用の容器は、金型の製作コストが嵩むため、１個当たりの単価が増すという問題がある。また、折り畳みに際して、折り畳み用の溝８２〜８９に沿って折り曲げると、側板８ｂ，８ｄと底板８ｅとが内側へ折り込まれるため、折り畳まれた形態が嵩張り、側板８ｂ，８ｄおよび底板８ｅが元の立体形状に戻ろうとし、折り畳まれた形態が保たれないという問題がある。
【０００４】
上記の問題を解決するため、図１０および図１１に示す態様の採尿用の折り畳み容器が提案された。この折り畳み容器は、使用時に、前面部９ａおよび後面部９ｂを前後方向へ押し開くことにより前面部９ａ、後面部９ｂ、および下端の折込み部９ｃにより図１２に示すような有底かつ襠のある容器体、すなわち、前壁９０ａ、後壁９０ｂ、両側の襠９０ｃ，９０ｄ、および底９０ｅを有する容器体が形づくられるようになっている。
【０００５】
図１０および図１１において、前面部９ａおよび後面部９ｂの上端には摘み片９１，９２が一体形成され、前面部９ａ，後面部９ｂ，および折込み部９ｃには、前壁９０ａ、後壁９０ｂ、両側の襠９０ｃ，９０ｄ、および底９０ｅを形づくるための折り曲げ線９３〜９６と、摘み片９１，９２を形づくるための折り曲げ線９７とが印刷により表してある。なお、図９において、９８は前面部９ａと後面部９ｂとの接合部分、９９は前面部９ａおよび後面部９ｂと折込み部９ｃとの接合部分である。
【先行技術文献】
【特許文献】
【０００６】
【特許文献１】実用新案登録第３０８８４９４号公報
【考案の概要】
【考案が解決しようとする課題】
【０００７】
上記した構成の採尿用の折り畳み容器は、前面部９ａおよび後面部９ｂを前後方向へ押し開いて容器体を組み立てたとき、両側の襠９０ｃ，９０ｄに接合部分９８，９９が位置し、そのうえ、一方の摘み片９１が前壁９０ａと両側の襠９０ｃ，９０ｄとの間に連なており、他方の摘み片９２が後壁９０ｂと両側の襠９０ｃ，９０ｄとの間に連なっているため、元の折り畳まれた形態に戻ろうとして立体形状が保たれず、採尿に支障をきたすおそれがある。
【０００８】
この考案は、上記の問題に着目してなされたもので、折り畳まれた形態が嵩張らず、かつ折り畳まれた形態が保たれ、また、組み立てられた立体形状が保たれ、採尿などに支障をきたすおそれがない折り畳み容器を提供することを目的とする。
【課題を解決するための手段】
【０００９】
この考案による折り畳み容器は、前面部および後面部を前後方向へ押し開くことにより前面部、後面部、および前面部と後面部との間への折込み部により前壁、後壁、両側の襠、および底を有する容器体が形づくられるもので、ポリオレフィン系のフィルムより成る筒状チューブの対向する部分がそれぞれ内側へ折り込まれることにより両側縁に山折りの折癖が付けられた前面部および後面部と、幅中央部に谷折りの折癖が付けられた両側の折込み部とが形成されている。下端部は、前面部、後面部、および両側の折込み部が一体に熱溶着されて封止されている。上端部には、両側偶部において前面部、後面部、および両側の折込み部が一体に斜めに切り取られることにより前壁、後壁、および両側の襠の上端開口縁にそれぞれ摘み片が形成されている。
【００１０】
この考案による折り畳み容器は、折り畳まれた状態のとき、両側縁に山折りの折癖が付けられた前面部と後面部との間に、幅中央部に谷折りの折癖が付けられた両側の折込み部が折り込まれているので、折り畳まれた形態が嵩張ることはなく、折り畳まれた形態が保たれる。
また、前面部および後面部を前後方向へ押し開いて容器体を組み立てたとき、両側の襠に接合部分が存在せず、しかも、摘み片は前壁、後壁、両側の襠にそれぞれ個別に形成されているので、元の折り畳まれた形態に戻ろうとする作用が生じず、また、前面部および後面部の両側縁に山折りの折癖が付けられているので、組み立てられた立体形状が保たれる。
【００１１】
この考案の好ましい実施態様においては、前壁、後壁、両側の襠、および底に腰を持たせるために、筒状チューブとして少なくとも０．０５ｍｍの厚みを有するものが用いられ、さらに望ましくは、０．０８ｍｍの厚みを有するものを用いられる。この実施態様によると、組み立てられた容器体の保形性が高められる。
【００１２】
この考案のさらに好ましい実施態様においては、前記筒状チューブの対向する部分は、両側の折込み部の谷折り部分が互いに接近する位置まで内側へ折り込まれている。
この実施態様によると、前面部および後面部を前後方向へ押し広げて容器体を組み立てたとき、容器体の平面形状がほぼ正方形状となり、組み立てられた形態が安定したものとなる。
【００１３】
さらに好ましい実施態様においては、前記下端部の封止された部分は、後面部上に折り返されて止着されている。
この実施態様によると、容器体が組み立てられたとき、底の外面に存在する封止部分は突き出ないように平坦化されているので、安定性が損なわれない。
【考案の効果】
【００１４】
この考案によれば、折り畳まれた状態のとき、折り畳まれた形態が嵩張らず、かつ折り畳まれた形態が保たれる。また、組み立てられた状態のとき、組み立てられた立体形状が保たれ、採尿などに支障をきたすおそれがない。
【図面の簡単な説明】
【００１５】
【図１】この考案にかかる折り畳み容器を正面から見た斜視図である。
【図２】図１の実施例を背面から見た斜視図である。
【図３】図１のＡ−Ａ線に沿う断面図である。
【図４】組み立てられた状態の実施例を示す斜視図である。
【図５】組み立てられた状態の実施例を示す正面図である。
【図６】組み立てられた状態の実施例を示す平面図である。
【図７】組み立てられた状態の実施例を示す底面図である
【図８】従来例の斜視図である。
【図９】図８の従来例の底面図である。
【図１０】他の従来例の斜視図である。
【図１１】図１０のＢ−Ｂ線に沿う断面図である。
【図１２】組み立てた状態の図９の従来例を示す斜視図である。
【考案を実施するための形態】
【００１６】
図１および図２は、この考案の一実施例である採尿用の折り畳み容器の外観を示している。この折り畳み容器は、所定の長さに寸断された筒状チューブの対向する部分をそれぞれ内側へ折り込むとともに、容器の開口部となる一端部側は開放し、容器の底となる他端部側は封着することにより形成されている。筒状チューブはポリエチレンなどのポリオレフィン系のフィルムにより形成され、腰を持たせるために少なくとも０．０５ｍｍの厚みのフィルムが用いられ、さらに十分な腰を持たせるために、望ましくは０．０８ｍｍの厚みのフィルムが用いられる。
【００１７】
図示の折り畳み容器は、縦長矩形状の前面部１および後面部２と、前面部１と後面部２との間に折り込まれる折込み部３，４とを一連に備えている。前面部１および後面部２の両側縁の山折線５ａ，５ｂには折癖が付けられている。両側の折込み部３，４は、図３に示すように、幅中央部に谷折線５ｃ，５ｃがそれぞれ形成されており、各谷折線５ｃには折癖が付けられている。各折込み部３，４の谷折線５ｃ，５ｃは互いに接近している。
【００１８】
前面部１、後面部２、および両側の折込み部３，４は上端部は解放され、両側偶部において前面部１、後面部２、および両側の折込み部３，４を一体に斜めに切り取ることにより、後述する摘み片７１ａ，７２ａ，７３ａ，７４ａが形成されている。前面部１、後面部２、および両側の折込み部３，４の下端部は一体に熱溶着されて封止されている。図中、６は一定幅に熱溶着された封止部であり、この封止部６の上端縁近くを折り曲げて後面部２上に折り返し、この折返し部６０を透明の接着テープ６１により止着することにより、後述する底７４が形成されている。なお、折返し部６０は、その内側に接着剤または両面粘着テープを介在させて止着してもよい。
【００１９】
前面部１および後面部２を前後方向へ押し開いて立体化すると、図４〜図７に示す外観および形態の容器体７が形づくられる。この容器体７は、ほぼ正方形状をなす前壁７１、後壁７２、両側の襠７３，７４、および底７５を有しており、上記の前面部１、後面部２、および両側の折込み部３，４の上半分によって前壁７１、後壁７２、両側の襠７３，７４が、下半分によって底７４が、それぞれ形づくられる。
【００２０】
前壁７１、後壁７２、および両側の襠７３，７４の上端開口縁には、両側縁が下拡がりに傾斜する摘み片７１ａ，７２ａ，７３ａ，７４ａがそれぞれ一体形成されており、各摘み片７１ａ，７２ａ，７３ａ，７４ａを外方へ直角に折り曲げられている。
【００２１】
上記した構成の折り畳み容器は、折り畳まれた状態のとき、前面部１と後面部２との間に両側の折込み部３，４が折り込まれており、そのうえ、前面部１および後面部２の両側縁の山折線５ａ，５ｂおよび各折込み部３，４の幅中央部の谷折線５ｃには折癖が付けられているので、折り畳まれた形態が嵩張ることはなく、折り畳まれた形態が保たれる。
【００２２】
前面部１および後面部２を前後方向へ押し開いて容器体７を組み立てたとき、両側の襠７３，７４に接合部分が存在せず、しかも、摘み片７１ａ，７２ａ，７３ａ，７４ａは前壁７１、後壁７２、両側の襠７３，７４にそれぞれ個別に形成されているので、元の折り畳まれた形態に戻ろうとする作用が生じず、また、前面部１および後面部２の両側縁の山折線５ａ，５ｂに折癖が付けられているので、組み立てられた立体形状が保たれる。
【００２３】
なお、上記の実施例は、採尿用の折り畳み容器に適用されるものであるが、この考案の折り畳み容器は、そのような用途に限らず、携帯用、非常用などの簡易コップにも適用することができる。
【符号の説明】
【００２４】
１    前面部
２    後面部
３，４    折込み部
７１  前壁
７２  後壁
７３，７４  襠
７５  底
７１ａ，７２ａ，７３ａ，７４ａ  摘み片
【図１】
0003168828.tif 000003
【図２】
0003168828.tif 000004
【図３】
0003168828.tif 000005
【図４】
0003168828.tif 000006
【図５】
0003168828.tif 000007
【図６】
0003168828.tif 000008
【図７】
0003168828.tif 000009
【図８】
0003168828.tif 000010
【図９】
0003168828.tif 000011
【図１０】
0003168828.tif 000012
【図１１】
0003168828.tif 000013
【図１２】
0003168828.tif 000014